(57)【特許請求の範囲】
【請求項１】
ホーム移動通信網（ＨＰＬＭＮ）の加入者の移動通信端末（１）が、前記ホーム移動通信網とのローミング協定を有していない在圏移動通信網（ＶＰＬＭＮ、ＶＰＬＭＮ’）に接続できるようにする遠距離通信方法において、
前記加入者の移動通信端末に、前記加入者の前記ホーム移動通信網の番号範囲から第１の移動加入者識別（ＩＭＳＩ１）を割り当て、そして、
前記加入者の移動通信端末に、前記ホーム移動通信網及び前記在圏移動通信網とローミング協定を有する相手先網（ＰＰＬＭＮ）の番号範囲から第２の移動加入者識別（ＩＭＳＩ２）を割り当て、
共通の呼び出し番号（ＭＳＩＳＤＮ）を前記第１の移動加入者識別と前記第２の移動加入者識別に割り当て、そして、
前記共通の呼び出し番号を用いて、前記加入者の移動通信端末は前記在圏移動通信網を介して通信を行うことを特徴とする遠距離通信方法。
【請求項２】
前記ホーム移動通信網（ＨＰＬＭＮ）に登録された前記第１の移動加入者識別（ＩＭＳＩ１）及び／または前記在圏移動通信網（ＶＰＬＭＮ）に登録された前記第２の移動加入者識別（ＩＭＳＩ２）が共通の識別モジュールに記憶され、前記共通の識別モジュールは前記移動通信端末に内蔵されていることを特徴とする、請求項１記載の遠距離通信方法。
【請求項３】
前記識別モジュールが第１の前記移動加入者識別（ＩＭＳＩ１）によって網にログインできない場合、前記識別モジュールが第２の移動加入者識別（ＩＭＳＩ２）を作動することを特徴とする、請求項２に記載の遠距離通信方法。
【請求項４】
前記ホーム移動通信網（ＨＰＬＭＮ）に登録された前記第１の移動加入者識別（ＩＭＳＩ１）及び／または前記在圏移動通信網（ＶＰＬＭＮ）に登録された前記第２の移動加入者識別（ＩＭＳＩ２）が異なる識別モジュールに記憶され、前記異なる識別モジュールのうち少なくとも１つが前記移動通信端末に内蔵されていることを特徴とする、前記請求項のいずれか１項に記載の遠距離通信方法。
【請求項５】
前記第１の移動加入者識別（ＩＭＳＩ１）が前記ホーム移動通信網（ＨＰＬＭＮ）のホームデータファイル（ＨＬＲ）に記憶され、また前記第２の移動加入者識別（ＩＭＳＩ２）が第１の移動加入者識別（ＩＭＳＩ１）から換算されることを特徴とする、前記請求項のいずれか１項に記載の遠距離通信方法。
【請求項６】
前記第１および第２の移動加入者識別（ＩＭＳＩ１、ＩＭＳＩ２）の両方が、前記ホーム移動通信網（ＨＰＬＭＮ）のホームデータファイル（ＨＬＲ）に記憶され、また唯一の呼び出し番号（ＭＳＩＳＤＮ）に結合されることを特徴とする、請求項１〜４のいずれか１項に記載の遠距離通信方法。
【請求項７】
１つのみの移動加入者識別（ＩＭＳＩ１、ＩＭＳＩ２）が常に作動することを特徴とする、請求項６記載の遠距離通信方法。
【請求項８】
前記共通の識別モジュールに記憶された前記第１および第２の移動加入者識別（ＩＭＳＩ１、ＩＭＳＩ２）の少なくともある識別を、前記加入者の移動通信端末の入力手段によって作動できることを特徴とする、請求項２に記載の遠距離通信方法。
【請求項９】
共通の呼び出し番号（ＭＳＩＳＤＮ）に結合された前記第１および第２の移動加入者識別（ＩＭＳＩ１、ＩＭＳＩ２）の少なくともある識別について、当該加入者に対して別々の計算書が作成されることを特徴とする、前記請求項のいずれか１項に記載の遠距離通信方法。
【請求項１０】
共通の呼び出し番号（ＭＳＩＳＤＮ）に結合された前記第１および第２の移動加入者識別（ＩＭＳＩ１、ＩＭＳＩ２）の少なくともある識別について、当該加入者に対して共通の計算書が作成されることを特徴とする、前記請求項のいずれか１項に記載の遠距離通信方法。
【請求項１１】
前記移動通信網がＧＳＭ網であることを特徴とする、前記請求項のいずれか１項に記載の遠距離通信方法。
【請求項１２】
ホーム移動通信網（ＨＰＬＭＮ）の加入者の移動通信端末が、前記ホーム移動通信網とのローミング協定を有していない在圏移動通信網（ＶＰＬＭＮ、ＶＰＬＭＮ’）に接続できるようにするのに用いる、前記加入者の移動通信端末に内蔵される識別モジュールであって、前記識別モジュールは、少なくとも、
前記ホーム移動通信網の番号範囲から割り当てられた第１の移動加入者識別（ＩＭＳＩ１）と、
前記ホーム移動通信網及び前記在圏移動通信網とローミング協定を有する相手先網（ＰＬＭＮ）の番号範囲から割り当てられた第２の移動加入者識別（ＩＭＳＩ２）とを記憶しており、
前記前記第１および第２の移動加入者識別（ＩＭＳＩ１、ＩＭＳＩ２）が共通の呼び出し番号（ＭＳＩＳＤＮ）に結合され、そして前記共通の呼び出し番号を用いて前記加入者の移動通信端末が前記在圏移動通信網に接続されることを特徴とする識別モジュール。
【請求項１３】
ホーム移動通信網（ＨＰＬＭＮ）の各加入者について、少なくとも１つの移動加入者識別（ＩＭＳＩ１、ＩＭＳＩ２）と、少なくとも１つの所属の呼び出し番号（ＭＳＩＳＤＮ）とを含むホームデータファイル（ＨＬＲ）が格納されたプログラミング可能な装置において、少なくともある加入者に関する前記ホームデータファイル（ＨＬＲ）が、前記加入者のホーム移動通信網（ＨＰＬＭＮ）の番号範囲からの第１の移動加入者識別（ＩＭＳＩ１）と、相手先網（ＰＰＬＭＮ）の番号範囲からの第２の移動加入者識別（ＩＭＳＩ２）と、前記両方の移動加入者識別（ＩＭＳＩ１、ＩＭＳＩ２）に共通に割り当てられた呼び出し番号（ＭＳＩＳＤＮ）とを含むことを特徴とするプログラミング可能な装置。
【請求項１４】
各加入者に関するフラグが、前記両方の移動加入者識別（ＩＭＳＩ１、ＩＭＳＩ２）のどれが現在作動しているかを示すことを特徴とする、請求項１３記載のプログラミング可能な装置。
【発明の詳細な説明】
本発明は、ローミング方法および当該装置に関する。特に本発明は、ＧＳＭ仕様に基づくと共に国際的なローミングの発展形態であるローミング方法および当該装置に関する。
ローミングとは、ホーム網外のＧＳＭ端末装置の運転と理解される。しかし、本発明は、種々のＧＳＭおよび／または非ＧＳＭ網の間のローミングの問題についても、例えばＧＳＭ、ＵＭＩＳ、インテリジェントネットワーク（ＩＮ）などのような種々の規格に従って機能する、例えば網の間のローミングについて利用することができる。
いわゆる「間接ローミング」によって、移動通信網の事業者、すなわち移動事業者は、その免許地域で通信網全体を形成する必要なしに、その移動加入者に全国的な供給を提供する。さらに「間接ローミング」によって、世界的なローミングへの迅速なアクセスも可能にすることができる。
その内容が参考として本出願に組み込まれた特許文献Ｗ０９８／１０６１４は、「間接ローミング」のための方法を開示し、この方法によってホーム移動通信網（Ｈｏｍｅ  Ｐｕｂｌｉｃ  Ｌａｎｄ  Ｍｏｂｉｌｅ  Ｎｅｔｗｏｒｋ，ＨＰＬＭＮ）の加入者は、ホーム移動通信網（ＨＰＬＭＮ）とのローミング協定なしに、在圏移動通信網（Ｖｉｓｉｔｅｄ  Ｐｕｂｌｉｃ  Ｌａｎｄ  Ｍｏｂｉｌｅ  Ｎｅｔｗｏｒｋ，ＶＰＬＭＮ）に接続することができる。この場合の接続は、手段、例えばＩＭＳＩ番号（ＩＭＳＩ＝Ｉｎｔｅｒｎａｔｉｏｎａｌ  Ｍｏｂｉｌｅ  Ｓｕｂｓｃｒｉｂｅｒ  Ｉｄｅｎｔｉｔｙ）およびＭＳＩＳＤＮ番号（ＭＳＩＳＤＮ＝Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ）によって行われ、これらの手段は、一方でホーム移動通信網（ＨＰＬＭＮ）と、また他方で在圏移動通信網（ＶＰＬＭＮ）とのローミング協定を有する相手先網（Ｐａｒｔｎｅｒ  Ｐｕｂｌｉｃ  Ｌａｎｄ  Ｍｏｂｉｌｅ  Ｎｅｔｗｏｒｋ，ＰＰＬＭＮ）によって提供される。
Ｗ０９８／１０６１４に開示された方法では、ＨＰＬＭＮの加入者の各ＳＩＭカード（ＳＩＭ＝Ｓｕｂｓｃｒｉｂｅｒ  ｌｄｅｎｔｉｔｙ  Ｍｏｄｕｌｅ）は２つのＩＭＳＩ番号を含む。各ＩＭＳＩ番号には異なった呼び出し番号（ＭＳＩＳＤＮ）が割り当てられる。第１のＩＭＳＩ番号はホーム移動通信網ＨＰＬＭＮの番号範囲に含まれ、第２のＩＭＳＩ番号は相手先網ＰＰＬＭＮの番号範囲に含まれる。ＨＰＬＭＮとのローミング協定を持たない在圏網（ＶＰＬＭＮ−ＮＲ、ＮＲ＝Ｎｏ  Ｒｏａｍｉｎｇ）にログインするために、加入者は（ＨＰＬＭＮの）第１のＩＭＳＩを（ＰＰＬＭＮの）第２のＩＭＳＩと交換することができ、これによって在圏網（ＶＰＬＭＮ）では相手先網（ＰＰＬＭＮ）の加入者のごとく観察される。
Ｗ０９８／１０６１４に開示された方法では、各ＩＭＳＩに他の異なったＭＳＩＳＤＮが割り当てられるので、加入者のための第１のＭＳＩＳＤＮによる電話は、高価な機構を用いて、いわゆるＵＢＩＣＯＭ回転ディスクで迂回されなければならない。さらに加入者固有のデータ、例えば電話転送、追加番号などは従来のＩＭＳＩに割り当てられ、したがって、ホーム移動通信網（ＨＰＬＭＮ）またはＨＰＬＭＮとのローミング協定を有する在圏移動通信網（ＶＰＬＭＮ−ＷＲ、ＷＲ＝Ｗｉｔｈ  Ｒｏａｍｉｎｇ）のみでしか利用できない。
したがって、本発明の課題は上記欠点を防止する方法とシステムを提供することである。
本発明によれば、この目的は特に独立請求項の要素によって達成される。さらなる好適な実施形態が従属請求項および説明から明らかとなる。
特に、この目的は、本発明によって、ホーム移動通信網（Ｈｏｍｅ  Ｐｕｂｌｉｃ  Ｌａｎｄ  Ｍｏｂｉｌｅ  Ｎｅｔｗｏｒｋ，ＨＰＬＭＮ）の加入者が、ホーム移動通信網（ＨＰＬＭＮ）の番号範囲からの第１の移動加入者識別（Ｉｎｔｅｒｎａｔｉｏｎａｌ  Ｍｏｂｉｌｅ  Ｓｕｂｓｃｒｉｂｅｒ  Ｉｄｅｎｔｉｔｙ、ＩＭＳＩ）と、相手先網（Ｐａｒｔｎｅｒ  Ｐｕｂｌｉｃ  Ｌａｎｄ  Ｍｏｂｉｌｅ  Ｎｅｔｗｏｒｋ、ＰＰＬＭＮ）の番号範囲からの第２の移動加入者識別（ＩＭＳＩ）とを有する識別モジュールを獲得し、前記相手先網（ＰＰＬＭＮ）が追加のローミング協定を利用できることによって、前記加入者が、ホーム移動通信網（ＨＰＬＭＮ）とのローミング協定なしに、在圏移動通信網（Ｖｉｓｉｔｅｄ  Ｐｕｂｌｉｃ  Ｌａｎｄ  Ｍｏｂｉｌｅ  Ｎｅｔｗｏｒｋ，ＶＰＬＭＮ）に接続できる本発明による方法において、共通の呼び出し番号（Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ，ＭＳＩＳＤＮ）を前記両方の移動加入者識別（ＩＭＳＩ）に割り当てることによって達成される。特に、共通の呼び出し番号（ＭＳＩＳＤＮ）を種々の移動加入者識別（ＩＭＳＩ）に割り当てることは、加入者が種々の移動加入者識別（ＩＭＳＩ）によって前記加入者のホーム移動通信網（ＨＰＬＭＮ）に、もしくは在圏移動通信網（ＶＰＬＭＮ）にログインしたとしても、前記１つの呼び出し番号（ＭＳＩＳＤＮ）を介して加入者に到達できるという長所を有する。さらに、２つの（またはそれ以上の）移動加入者識別（ＩＭＳＩ）、１つはホーム移動通信網（ＨＰＬＭＮ）の番号範囲からの識別、１つは相手先網（ＰＰＬＭＮ）の番号範囲からの識別の加入者への割当ては、加入者が相手先網（ＰＰＬＭＮ）の事業者のローミング協定に頼らざるを得ないということだけでなく、その後に行われるかもしれない合意による加入者のホーム網事業者のローミング協定からも加入者が追加利益を得ることができるという長所を有する。冒頭に既述したように、本発明はＧＳＭ標準に基づく移動網に関するが、同時に本発明は他の移動網、例えばＵＭＴＳ移動網（ＵＭＴＳ＝Ｕｎｉｖｅｒｓａｌ  Ｍｏｂｉｌｅ  Ｔｅｌｅｐｈｏｎｅ  Ｓｙｓｔｅｍ）でも、または特に種々のＧＳＭおよび／または非ＧＳＭ網の間のローミングのためにも利用することができる。
好適な別の実施形態では、識別モジュールがそのホーム移動通信網（ＨＰＬＭＮ）の番号範囲からの第１の移動加入者識別（ＩＭＳＩ）によって回路網にログインできない場合、第２の移動加入者識別（ＩＭＳＩ）は相手先網（ＰＰＬＭＮ）の番号範囲から識別モジュールによって作動される。代わりの移動加入者識別（ＩＭＳＩ）の作動は、共通の状態に依存する別形態または独立した別形態として実現できる別の種々の実施形態で、自動的に、または加入者によって、例えば加入者の端末装置の入力手段を用いて開始することができる。
別の種々の実施形態（下位の別形態ａ１）では、ホーム移動通信網（ＨＰＬＭＮ）の番号範囲からの第１の移動加入者識別（ＩＭＳＩ）は、前記ホーム移動通信網のホームデータファイル（Ｈｏｍｅ  Ｌｏｃａｔｉｏｎ  Ｒｅｇｉｓｔｅｒ，ＨＬＲ）に記憶され、また相手先網（ＰＰＬＭＮ）の番号範囲からの第２の移動加入者識別（ＩＭＳＩ）は第１の移動加入者識別（ＩＭＳＩ）から換算され、あるいは（下位の別形態ａ２）第１のおよび第２の移動加入者識別（ＩＭＳＩ）の両方は、ホーム移動通信網（ＨＰＬＭＮ）のホームデータファイル（ＨＬＲ）に記憶され、また唯一の呼び出し番号（ＭＳＩＳＤＮ）に結合される。１つのみの移動加入者識別（ＩＭＳＩ）が常に作動していることが好ましい。
同一の呼び出し番号（ＭＳＩＳＤＮ）に結合された少なくとも２つの移動加入者識別（ＩＭＳＩ）の少なくともある識別について、当該加入者に対して別々の計算書を作成することが好ましく、一方、同一の呼び出し番号（ＭＳＩＳＤＮ）に結合された少なくとも２つの移動加入者識別（ＩＭＳＩ）の少なくともある他方の識別について、当該加入者に対して共通の計算書を作成する。この状態特有の決済は、この決済が非常に柔軟であり、また用途に応じて、また「間接ローミング」に関連してのみならず、種々の応用目的の加入者について別々の計算書を作成できるという長所を有し、この場合、目的と決済に対応する移動加入者識別（ＩＭＳＩ）、例えばサービスおよび個人使用のための種々の移動加入者識別（ＩＭＳＩ）が作動される。
特に、本発明の目的は、移動機内の使用に指定されると共に少なくとも２つの移動加入者識別（ＩＭＳＩ）の記憶を可能にする本発明に基づく識別モジュールが、ホーム移動通信網（ＨＰＬＭＮ）の番号範囲からの少なくとも１つの第１の移動加入者識別（ＩＭＳＩ）と、相手先網（ＰＰＬＭＮ）の番号範囲からの第２の移動加入者識別（ＩＭＳＩ）とを含み、この場合、両方の移動加入者識別（ＩＭＳＩ）が共通の呼び出し番号（ＭＳＩＳＤＮ）に結合されることによっても達成される。
特に、本発明の目的は、ホームデータファイル（ＨＬＲ）を有する本発明に基づくプログラミング可能な装置が、この装置の中、にホーム移動通信網（ＨＰＬＭＮ）の各加入者について少なくとも１つの移動加入者識別（ＩＭＳＩ）と、少なくとも１つの所属の呼び出し番号（ＭＳＩＳＤＮ）とを含み、少なくともある加入者に関するこのホームデータファイル（ＨＬＲ）が、加入者のホーム移動通信網（ＨＰＬＭＮ）の番号範囲からの第１の移動加入者識別（ＩＭＳＩ）と、相手先網（ＰＰＬＭＮ）の番号範囲からの第２の移動加入者識別（ＩＭＳＩ）と、これらの両方の移動加入者識別（ＩＭＳＩ）に共通に割り当てられた呼び出し番号（ＭＳＩＳＤＮ）とを含むことによっても達成される。このプログラミング可能な装置では、各加入者用のフラグによって、移動加入者識別（ＩＭＳＩ）のどれが現在作動しているかが示されることが好ましい。
実施例を参考にして、本発明の実施形態について以下に説明する。実施例は次の添付図によって説明する：
図１は、別形態ａ１）による受付の際の信号関係を概略的に示した概略図であり、この別形態では、呼び出し番号（ＭＳＩＳＤＮ）に結合された１つの移動加入者識別（ＩＭＳＩ）はホームデータファイル（ＨＬＲ）に記録される。
図２は、別形態ａ２）による受付の際の信号関係を概略的に示した概略図であり、この別形態では、共通の呼び出し番号（ＭＳＩＳＤＮ）に結合された２つの移動加入者識別（ＩＭＳＩ）はホームデータファイル（ＨＬＲ）に記録される。
図３は、別形態ａ１）に従って終端する結合の場合の信号関係を概略的に示した概略図であり、この別形態では、呼び出し番号（ＭＳＩＳＤＮ）に結合された１つの移動加入者識別（ＩＭＳＩ）はホームデータファイル（ＨＬＲ）に記録される。
図４は、別形態ａ２）に従って終端する結合の場合の信号関係を概略的に示した概略図であり、この別形態では、共通の呼び出し番号（ＭＳＩＳＤＮ）に結合された２つの移動加入者識別（ＩＭＳＩ）はホームデータファイル（ＨＬＲ）に記録される。
本発明に基づき、免許されたホーム移動網事業者（以下免許事業者と呼ぶ）はその免許されたホーム移動通信網地域ＨＰＬＭＮ（図１から図４参照）で、ＧＳＭ、ＵＭＴＳまたは他の移動網規格に基づき、その経済的熟慮に従って（場合によっては人口集中地域のみ）、１つまたは複数の移動交換局／ホームロケーションレジスタおよびホーム移動通信網、例えば移動通信網を建設かつ運営する。
ホーム移動通信網地域ＨＰＬＭＮの免許事業者は、そのユーザ（加入者）が間接ローミング機能によって自己網外の在圏移動通信網ＶＰＬＭＮ、ＶＰＬＭＮ’で移動端末機１を操作するのを可能にする。この目的のために、相手先網ＰＰＬＭＮの相手先事業者はそのローミング関係を前記免許事業者が利用できるようにする。
国際的なローミングの場合、ＧＳＭ仕様による移動加入者識別は、ＩＭＳＩ番号（ＩＭＳＩ＝Ｉｎｔｅｒｎａｔｉｏｎａｌ  Ｍｏｂｉｌｅ  Ｓｕｂｓｃｒｉｂｅｒ  Ｉｄｅｎｔｉｔｙ＝移動加入者識別）に基づく。したがって、相手先事業者はその番号範囲からのＩＭＳＩ番号範囲を免許事業者に提供する。次の２つの別形態について最初に説明する：
別形態ａ）：
識別モジュール、例えば移動通信端末機１に取り除き可能に結合されたＳＩＭカード（Ｓｕｂｓｃｒｉｂｅｒ  Ｉｄｅｎｔｉｔｙ  Ｍｏｄｕｌｅ）は、２つのＩＭＳＩ番号、すなわち免許事業者の番号範囲からの第１のＩＭＳＩ番号ＩＭＳＩ１と、相手先事業者の番号範囲からの第２のＩＭＳＩ番号ＩＭＳＩ２とを含む。両方のＩＭＳＩ番号ＩＭＳＩ１、ＩＭＳＩ２には共通の呼び出し番号ＭＳＩＳＤＮ（ＭＳＩＳＤＮ番号、Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ番号）が割り当てられる。加入者固有のすべてのデータ、例えば電話転送、ファクスおよびデータ伝送のための追加番号などは、呼び出し番号ＭＳＩＳＤＮに割り当てられ、したがって回路網で使用されているＩＭＳＩ番号ＩＭＳＩ１、ＩＭＳＩ２それぞれに関係なく常に利用可能である。
この好適な別形態ａ）の長所は、免許事業者網ＨＰＬＭＮのＩＭＳＩ番号ＩＭＳＩ１もまた加入者に割り当てられる点にある。これによって、免許事業者は自己のローミング相手先関係を構築することができる。さらに間接的ローミングのあり得るその後の解除の際に、ＳＩＭカードを交換する必要がない。
別形態ｂ）：
ＳＩＭカードは１つのみのＩＭＳＩ番号ＩＭＳＩ２を含む。この番号は相手先事業者のＩＭＳＩ番号範囲から得られる。このＩＭＳＩ番号ＩＭＳＩ２には免許事業者の番号範囲からの呼び出し番号ＭＳＩＳＤＮが割り当てられる。
この別形態ｂ）の長所は、この形態が、ＳＩＭカード、移動通信端末機１および回路網に関してより簡単な解決方法であることである。しかし、別形態ｂ）は、特に間接的ローミングに平行に直接のローミング関係の構築が不可能であるので、とりわけ免許事業者の継続展開の手段に関して大きな欠点を有する。さらに間接的ローミングの解除の際に、ＳＩＭカードを交換する必要がある。したがって、この別形態ｂ）については以下に詳しく説明しない。
ホーム移動通信網地域ＨＰＬＭＮの移動加入者は、免許事業者の１つまたは複数のホームデータファイルＨＬＲ（Ｈｏｍｅ  Ｌｏｃａｔｉｏｎ  Ｒｅｇｉｓｔｅｒ）に記録されることが好ましく、この結果免許事業者はユーザ管理も引き受ける。
好適な別形態ａ）に関し、２つのＩＭＳＩ番号ＩＭＳＩ１、ＩＭＳＩ２の取扱いについて次の下位の別形態を説明する：
下位の別形態ａ１）、（図１参照）：
免許事業者のホームデータファイルＨＬＲには、免許事業者のＩＭＳＩ番号ＩＭＳＩ１のみが記録される。相手先網ＰＰＬＭＮの相手先事業者の所属のＩＭＳＩ番号ＩＭＳＩ２は、移動国コード（ＭＣＣ）、移動網コード（ＭＮＣ）においてのみ、必要ならば次の実例に示すように移動加入者ＩＤ番号（ＭＳＩＮ）の２つの項（ｈ１ｈ２）または追加項で、免許事業者のＩＭＳＩ番号ＩＭＳＩ１と区別される：
実施：
0004011125.tif 000002
相手先事業者と免許事業者との間に伝送されるＳＳ７−ＭＡＰメッセージ（ＳＳ７＝信号方式システムＮｏ．７、ＭＡＰ＝Ｍｏｂｉｌｅ  Ａｐｐｌｉｃａｔｉｏｎ  Ｐａｒｔ）では、ＩＭＳＩ番号ＩＭＳＩ１、ＩＭＳＩ２は、それぞれブロック３（図１または図３参照）で換算される（相手先事業者のＩＭＳＩ２を免許事業者ＩＭＳＩ１に、またその逆）。ブロック３は例えばプログラミングされたソフトウェアモジュールであり、このソフトウェアモジュールは例えば免許事業者のホームデータファイルＨＬＲのようなコンピュータ内に、またはこのために適切な任意の他のネットワーク要素内に組み込まれ、また実施される。相手先網ＰＰＬＭＮとホーム移動通信網ＨＰＬＭＮとの間の、あるいは相手先網ＰＰＬＭＮとローミング相手先網ＶＰＬＭＮとの間の信号通信は、図１の破線の両側矢印によって概略的に示されている。
ＧＳＭ標準によれば、安全上の理由からＳＩＭカードは網における受付の際にその真正さが確認される。この確認はＩＭＳＩ番号に関する。下位の別形態ａ１）では、免許事業者ＩＭＳＩ番号ＩＭＳＩ１のみがホームデータファイルＨＬＲに記録されるので、両方のＩＭＳＩ番号ＩＭＳＩ１、ＩＭＳＩ２について唯一の真正さ（Ｋｉキー）が存在する。したがって、両方のＩＭＳＩ番号ＩＭＳＩ１、ＩＭＳＩ２について同様に唯一の真正さ（Ｋｉキー）を有する移動機１内に、ＳＩＭカードをプログラミングしなければならない。
下位の別形態ａ２）、（図２参照）：
免許事業者のホームデータファイルＨＬＲには、両方のＩＭＳＩ番号ＩＭＳＩ１、ＩＭＳＩ２が記録され、また共通の呼び出し番号ＭＳＩＳＤＮに結合される。ユーザがどの網に最後に受付けられたかに応じて、両方のＩＭＳＩ番号ＩＭＳＩ１、ＩＭＳＩ２の内の１つのみがその都度作動する（図２または図４ではＩＭＳＩ２の周囲の破線のブロックによって示される）。ホームデータファイルＨＬＲは、例えば移動加入者識別（ＩＭＳＩ番号）のリストを含み、このリストは各移動加入者識別（ＩＭＳＩ番号）ＩＭＳＩ１、ＩＭＳＩ２について作動フラグをさらに含み、前記識別は、同時にその都度１つのみの移動加入者識別ＩＭＳＩ１、ＩＭＳＩ２が作動していると見なされるように設定することができる。移動加入者識別ＩＭＳＩ１、ＩＭＳＩ２をホームデータファイルＨＬＲ内の対応リストに作動としてマークするために、当業者には種々の方法があり、例えば、このことは、当該の加入者がその移動通信端末機１によってビジタロケーションレジスタＭＳＣ／ＶＬＲに登録される場合、ＧＳＭ標準に基づき実施されるロケーションアップデート中に実施することができる。しかし、両方のＩＭＳＩ番号ＩＭＳＩ１、ＩＭＳＩ２は個々の真正さ（Ｋｉキー）も利用でき、これによってＳＩＭカード側の下位の別形態ａ２）もまた下位の別形態ａ１）から区別される。
さらに、この点について、同様に他の用途のために、例えば共通の呼び出し番号ＭＳＩＳＤＮを有する２つのＳＩＭカードのために、または例えば個人および業務上の電話のような種々の用途を区別するための唯一のＳＩＭカードの２つのＩＭＳＩ番号ＩＭＳＩ１、ＩＭＳＩ２のために、下位の別形態ａ２）を利用できることを指摘する。例えば、図示していない決済センタを起点とする用途に応じた電話（出発点の電話）の決済のために、同一の呼び出し番号ＭＳＩＳＤＮに結合された各々または少なくともある移動加入者識別ＩＭＳＩ１、ＩＭＳＩ２について、別々の計算を行うことができるか、あるいは同一の呼び出し番号ＭＳＩＳＤＮに結合されたすべてのまたは少なくともある移動加入者識別ＩＭＳＩ１、ＩＭＳＩ２について、共通の計算を行うことができる。決済センタは、このために対応する複数の計算アドレスをすべてのまたは少なくともある移動加入者識別ＩＭＳＩ１、ＩＭＳＩ２に割り当てるか、もしくは共通の計算アドレスを電話番号ＭＳＩＳＤＮまたは少なくともある移動加入者識別ＩＭＳＩ１、ＩＭＳＩ２に割り当てる。費用の計算のため、通常のように、例えば対応する電話データ記録を使用することができる。
上述の別形態ａ１）、ａ２）およびｂ）のすべてでは、ホームデータファイルＨＬＲが既述のように免許事業者の回路網に存在することが好ましい。
ＧＳＭ仕様に基づきホームデータファイルＨＬＲのアドレス、すなわちＨＬＲアドレスは、ＳＳ７メッセージをホームデータファイルＨＬＲに送信するために、特にＩＭＳＩ番号から導かれる（番号フォーマットＣＣＩＴＴ  Ｅ．２１２はＣＣＩＴＴ  Ｅ．２１４に換算される）。在圏網ＶＰＬＭＮ、ＶＰＬＭＮ’から相手先網ＰＰＬＭＮに着信するメッセージは相手先網ＰＰＬＭＮのアドレスを含むので、メッセージアドレス、すなわちＳＳ７信号接続制御部（ＳＣＣＰ）のグローバルタイトルを換算するか、またはメッセージを公共網のＳＣＣＰルーティングなしに、例えばリース回線またはインターネットを介して、免許事業者のホーム移動通信網地域ＨＰＬＭＮに転送しなければならない。ホームデータファイルＨＬＲから在圏ビジタロケーションレジスタ（ＶＬＲ）ＭＳＣ／ＶＬＲに送信されるメッセージには、メッセージの返信を保証するために、相手先網ＰＰＬＭＮの番号範囲からのＨＬＲアドレスが発信者として含まれなければならない。ＳＳ７  ＳＣＣＰのグローバルなタイトル（グローバルタイトル）の翻訳は、図１から図４に示したようにブロック２で実施され、この場合、ブロック２は例えばプログラミングされたソフトウェアモジュールであり、例えばこのモジュールは、相手先網ＰＰＬＭＮのホームデータファイル（Ｈｏｍｅ  Ｌｏｃａｔｉｏｎ  Ｒｅｇｉｓｔｅｒ）または相手先網ＰＰＬＭＮの移動交換局ビジタロケーションレジスタＭＳＣ／ＶＬＲと同一のコンピュータ内に、あるいはこのために適切な他の任意のネットワーク要素内に組み込まれ、また実施される。
受付に関するＳＳ７メッセージは、在圏網ＶＰＬＭＮ、ＶＰＬＭＮ’から相手先網ＰＰＬＭＮを介して免許事業者のホームデータファイルＨＬＲに導かれるので（Ｌｏｃａｔｉｏｎ  Ｕｐｄａｔｅ）、相手先事業者は、間接的ローミングのために免許事業者が使用するＩＭＳＩ番号範囲を制御することができる。
２つのＩＭＳＩ番号ＩＭＳＩ１、ＩＭＳＩ２によって機能する別形態ａ）の場合（下位の別形態ａ１）およびａ２）と共に）、受付（Ｌｏｃａｔｉｏｎ  Ｕｐｄａｔｅ）は居所に応じて行われる。
当該の移動加入者が免許事業者の供給地域内に、すなわちホーム移動通信網地域ＨＰＬＭＮ内に、またはホーム移動通信網地域ＨＰＬＭＮの事業者との直接ローミング協定を有する在圏網ＰＰＬＭＮ内に留まる限り、移動機１は、図１と図２の矢印１０または１１によって示されるように、免許事業者の番号範囲からのＩＭＳＩ番号ＩＭＳＩ１によってこの網の中に自動的に登録される。この方法は標準化されたＧＳＭ手順に一致する。
免許事業者の移動加入者が自己の供給地域ＨＰＬＭＮを離れると、図１と図２の矢印２０によって示されるように、相手先ＩＭＳＩ  ＩＭＳＩ２によって自動的にまたは手動で、相手先事業者とのローミング協定を有する事業者の在圏網ＶＰＬＭＮの中に加入者を登録することができる。加入者の所望の快適性に応じて、例えばＩＭＳＩ交換を手動または自動的に実施するかどうかに応じて、このために特別な機能をＳＩＭカードの上にまたは必要ならば移動機１の中にも装備することができる。例えばＳＩＭカードを移動機１から取り外すかまたはカードを操作する必要なしに、ＩＭＳＩ交換はプログラミングされたソフトウェア機能を用いて行うことが好ましい。プログラミングされたソフトウェア機能はＳＩＭカード内で機能することが好ましい。しかし、網のインフラ内のプログラミングされたソフトウェア機能もまた好ましい。最後に述べた例では、第１のまたは第２のＩＭＳＩ番号ＩＭＳＩ１、ＩＭＳＩ２は、当該の移動通信端末機１に伝送される特別なメッセージによって、例えばＳＭＳ（ＳＭＳ＝Ｓｈｏｒｔ  Ｍｅｓｓａｇｅ  Ｓｅｒｖｉｃｅ）またはＵＳＳＤメッセージ（ＵＳＳＤ＝Ｕｎｓｔｒｕｃｔｕｒｅｄ  Ｓｕｐｐｌｅｍｅｎｔａｒｙ  Ｓｅｒｖｉｃｅｓ  Ｄａｔａ）によって、網のインフラから作動される。
着信する電話は、免許事業者の番号範囲の中に存在する呼び出し番号ＭＳＩＳＤＮに基づき、免許事業者の網の中にルーティングされる。加入者が受付けられたビジタロケーションレジスタ（ＶＬＲ）ＭＳＣ／ＶＬＲのアドレスは、免許事業者のホームデータファイルＨＬＲに記録されるので、機能プロセス（ローミング番号の要求およびローミング番号の結合形成）は原則としてＧＳＭ仕様に従って行われる。図３と図４では、移動通信端末機１で終端する結合に関する、すなわち下位の別形態ａ１）あるいは下位の別形態ａ２）のために移動通信端末機１に着信する電話に関する信号関係がそれぞれ概略的に示されている。実例として、ゲートウェイ移動交換局ＣＭＳＣを介してホーム移動通信網ＨＰＬＭＮの中に達する着信電話が図３と図４の矢印４によって示されている。図３と図４では、ローミング番号の問合わせ（Ｒｏａｍｉｎｇ  Ｎｕｍｂｅｒ  Ｒｅｑｕｅｓｔ）に関する信号方式が破線の両側矢印によって概略的に示され、一方、状況に応じて他の網を介したルーティングもまたローミング番号に結合されることがあり得るので、連続線の矢印は受信されたローミング番号との結合形成を簡単に図示している。ローミング番号の要求のためにそれぞれのビジタロケーションレジスタＭＳＣ／ＶＬＲに送信されるＳＳ７−ＭＡＰメッセージには、発信人として相手先事業者の番号範囲からのＨＬＲアドレスが存在しなければならず、またＭＡＰメッセージには相手先事業者のＩＭＳＩ番号が含まれなければならない。さらに図３と図４では、図１と図２に従って上述した受付により、移動通信端末機１を有する当該の加入者を、相手先網ＰＰＬＭＮで免許事業者の番号範囲からのＩＭＳＩ番号ＩＭＳＩ１によって、あるいは在圏網ＶＰＬＭＮ、ＶＰＬＭＮ’で相手事業者の番号範囲からのＩＭＳＩ番号ＩＭＳＩ２によって、それぞれのビジタロケーションレジスタＭＳＣ／ＶＬＲの中に登録される方法が示されている。
いくつかのローミング相手先は終端する結合について同様に料金を要求する。料金計算は、離れる結合について次に説明するのと同様の方法で、相手先事業者のローミングデータクリアリングおよび資金クリアリングを介して行われる。
離れる電話は、相手先事業者の「ローミングの場合」と同じように取り扱われる、すなわち。
−ＧＳＭ仕様に基づく呼び出し形成。
−相手先事業者のローミングのデータおよび資金クリアリングを介した料金計算。
−戻し決済および免許事業者への前記結合のデータクリアリングは、相手先事業者による別のクリアリングによって行われる。
終端する短いメッセージ（Ｓｈｏｒｔ  Ｍｅｓｓａｇｅ）は、ＧＳＭ仕様に従って、ホームデータファイルＨＬＲに記録された当該ビジタロケーションレジスタのアドレス、すなわちＶＬＲアドレスとＩＭＳＩ番号とに基づき送られる。ビジタロケーションレジスタＭＳＣ／ＶＬＲに送られたＳＳ７メッセージは、発信人として相手事業者の番号範囲からのＩＭＳＩ番号ＩＭＳＩ２を含まなければならず、またＭＡＰメッセージには相手先事業者のＩＭＳＩ番号ＩＭＳＩ２が含まれていなければならない。生成された短いメッセージ（Ｓｈｏｒｔ  Ｍｅｓｓａｇｅ）は、ＧＳＭ仕様に従って、免許事業者のショートメッセージサービスセンタ（Ｓｈｏｒｔ  Ｍｅｓｓａｇｅ  Ｓｅｒｖｉｃｅ  Ｃｅｎｔｒｅ，ＳＭＳＣ）および／または他のＳＭＳＣに送信される。
免許事業者が他の移動事業者との直接ローミング協定を有する（ホーム移動通信網地域ＨＰＬＭＮまたは相手先網ＰＰＬＭＮあるいはローミング協定による在圏網）国または供給地域では、ローミングは、ＧＳＭ仕様に基づく免許事業者の番号範囲からのＩＭＳＩ番号ＩＭＳＩ１によって機能する。
在圏網ＶＰＬＭＮ、ＶＰＬＭＮ’がホーム網ＨＰＬＭＮと直接ローミング協定を持たない国または地域では、加入者は、相手先ＩＭＳＩＩ  ＭＳＩ２によって自動的にまたは手動で相手先のローミング網ＶＰＬＭＮ、ＶＰＬＭＮ’に登録することができる。
このローミング結合の料金計算は、相手先事業者のローミングデータクリアリングおよび資金クリアリングを介して、データクリアリングを介した免許事業者への対応する戻し決済によって行われる。
参照番号の説明
１  移動通信機
２  ＳＳ７  ＳＣＣＰグローバルなタイトル（グローバルタイトル）の翻訳
３  免許事業者のＩＭＳＩ（ＩＭＳＩ１）への相手先事業者のＩＭＳＩ（ＩＭＳＩ２）の換算、またその逆
４  免許事業者の番号範囲の移動加入者統合デジタル通信サービス網番号（ＭＳＩＳＤＮ）による電話
１０  免許事業者のＩＭＳＩ（ＩＭＳＩ１）による受付
１１  免許事業者のＩＭＳＩ（ＩＭＳＩ１）による受付、（従来の国際的なローミング）
２０  相手先事業者のＩＭＳＩ（ＩＭＳＩ２）による受付
ＧＭＳＣ  ゲートウェイ移動交換局
ＨＬＲ  ホームデータファイル（Ｈｏｍｅ  Ｌｏｃａｔｉｏｎ  Ｒｅｇｉｓｔｅｒ）ＨＰＬＭＮ  免許事業者または免許事業者網のホーム移動通信網地域（Ｈｏｍｅ  Ｐｕｂｌｉｃ  Ｌａｎｄ  Ｍｏｂｉｌｅ  Ｎｅｔｗｏｒｋ）
ＩＭＳＩ１  免許事業者の番号範囲の国際的な移動加入者ＩＤ番号
ＩＭＳＩ２  相手事業者の番号範囲の国際的な移動加入者ＩＤ番号
ＭＳＣ／ＶＬＲ  移動交換局／ビジタロケーションレジスタ
ＭＳＩＳＤＮ  免許事業者の移動加入者統合デジタル通信サービス網の番号
ＰＰＬＭＮ  相手先網（「間接ローミング」の提供者）、（Ｐａｒｔｎｅｒ  Ｐｕｂｌｉｃ  Ｌａｎｄ  Ｍｏｂｉｌｅ  Ｎｅｔｗｏｒｋ）
ＶＰＬＭＮ  相手先事業者のローミング相手先の在圏網（世界的）、（Ｖｉｓｉｔｅｄ  Ｐｕｂｌｉｃ  Ｌａｎｄ  Ｍｏｂｉｌｅ  Ｎｅｔｗｏｒｋ）
ＶＰＬＭＮ  免許事業者の国内の在圏網（Ｖｉｓｉｔｅｄ  Ｐｕｂｌｉｃ  Ｌａｎｄ  Ｍｏｂｉｌｅ  Ｎｅｔｗｏｒｋ）
【図１】
0004011125.tif 000003
【図２】
0004011125.tif 000004
【図３】
0004011125.tif 000005
【図４】
0004011125.tif 000006